(57)【要約】【課題】赤色とその他の色とを判別しにくい２色覚あるいは異常３色覚の人が、赤色とその他の色とによってもともと区分けされていた内容を見分けやすくすることを目的とする。【解決手段】情報処理装置３の制御部３１は、文書画像データによって表される文書が表面に形成された記録用紙の裏面や、それとは別の記録用紙に対し、その文書画像中の赤色で描かれた文字を含む領域を特定の色で塗り潰した画像を形成させる。２色覚あるいは異常３色覚の人は、それぞれ記録用紙の異なる紙面に形成された画像を重ねることで、赤色で描かれた文字に対して透かし画像による飾りを視認することが可能となる。赤色およびその他の色の色相を判別しにくい２色覚あるいは異常３色覚の人であっても、透かし画像による飾りは認識できるので、赤色で描かれた文字に対して透かし画像による飾りを施すことで、赤色およびその他の色とを判別しやすくなる。【選択図】図４
2010219814.tif 000002
【特許請求の範囲】
【請求項１】
色空間における赤色の範囲を記憶する赤色記憶手段と、
文字を含む画像を表す画像データを取得する取得手段と、
前記取得手段によって取得された画像データが表す画像において、前記赤色記憶手段により記憶されている範囲に含まれる赤色の文字の領域の位置を特定する領域特定手段と、
前記取得手段によって取得された画像データが表す画像が、表裏に記録面を有する記録媒体の一方の記録面に形成される場合に、当該記録媒体の他方の記録面において、前記領域特定手段によって特定された位置の裏側に相当する位置を特定する相当位置特定手段と、
前記相当位置特定手段によって特定された位置に決められた画像が配置された画像を表す画像データを生成する生成手段と、
前記取得手段によって取得された画像データと、前記生成手段によって生成された画像データとを対応付けて出力する出力手段と
を備えることを特徴とする画像処理装置。
【請求項２】
色空間における赤色の範囲を記憶する赤色記憶手段と、
文字を含む画像を表す画像データを取得する取得手段と、
前記取得手段によって取得された画像データが表す画像において、前記赤色記憶手段により記憶されている範囲に含まれる赤色の文字の領域の位置を特定する領域特定手段と、
前記領域特定手段によって特定された位置に決められた画像が配置された画像を表す画像データを生成する生成手段と
前記取得手段によって取得された画像データと、前記生成手段によって生成された画像データとを対応付けて出力する出力手段と
を備えることを特徴とする画像処理装置。
【請求項３】
請求項１に記載の画像処理装置と、
前記画像処理装置の前記出力手段により対応付けられて出力された画像データのうち、前記画像処理装置の前記取得手段によって取得された画像データに応じた画像を記録媒体の一方の面に形成し、前記生成手段によって生成された画像データに応じた画像を記録媒体の他方の面に形成する画像形成手段と
を備えることを特徴とする画像形成装置。
【請求項４】
請求項２に記載の画像処理装置と、
前記画像処理装置の前記出力手段により対応付けられて出力された画像データのうち、前記画像処理装置の前記取得手段によって取得された画像データに応じた画像を第１の記録媒体に形成し、前記生成手段によって生成された画像データに応じた画像を第２の記録媒体に形成する画像形成手段と
を備えることを特徴とする画像形成装置。
【請求項５】
コンピュータを、
色空間における赤色の範囲を記憶する赤色記憶手段と、
文字を含む画像を表す画像データを取得する取得手段と、
前記取得手段によって取得された画像データが表す画像において、前記赤色記憶手段により記憶されている範囲に含まれる赤色の文字の領域の位置を特定する領域特定手段と、
前記取得手段によって取得された画像データが表す画像が表裏に記録面を有する記録媒体の一方の記録面に形成された場合に、当該記録媒体の他方の記録面において、前記特定手段によって特定された位置の裏側に対応する位置を特定する相当位置特定手段と、
前記相当位置特定手段によって特定された位置に決められた画像が配置された画像を表す画像データを生成する生成手段と、
前記取得手段によって取得された画像データと、前記生成手段によって生成された画像データとを対応付けて出力する出力手段と
して実現させるためのプログラム。
【請求項６】
コンピュータを、
色空間における赤色の範囲を記憶する赤色記憶手段と、
文字を含む画像を表す画像データを取得する取得手段と、
前記取得手段によって取得された画像データが表す画像において、前記赤色記憶手段により記憶されている範囲に含まれる赤色の文字の領域の位置を特定する領域特定手段と、
前記特定手段によって特定された位置に決められた画像が配置された画像を表す画像データを生成する生成手段と
前記取得手段によって取得された画像データと、前記生成手段によって生成された画像データとを対応付けて出力する出力手段と
して実現させるためのプログラム。
【発明の詳細な説明】
【技術分野】
【０００１】
本発明は、画像処理装置、画像形成装置及びプログラムに関する。
【背景技術】
【０００２】
人間の遺伝子のタイプの違いや目の疾患によって色の見え方が異なる場合がある。眼科用語では、赤、青、緑の錐体細胞の異常の有無によって、３色覚（正常３色型色覚）、２色覚（２色型色覚）、異常３色覚（異常３色型色覚）と呼んでいる。特許文献１には、複写機やプリンタなどの画像形成装置において、２色覚あるいは異常３色覚の人（３色覚者でない）であっても色の区別がつくような画像を記録用紙に形成する技術が開示されている。
【先行技術文献】
【特許文献】
【０００３】
【特許文献１】特開２００４−０８０１１８号公報
【発明の概要】
【発明が解決しようとする課題】
【０００４】
本発明は、赤色とその他の色とを判別しにくい２色覚あるいは異常３色覚の人が、赤色とその他の色とによって区分けされていた内容を見分けやすくすることを目的とする。
【課題を解決するための手段】
【０００５】
請求項１に係る発明は、色空間における赤色の範囲を記憶する赤色記憶手段と、文字を含む画像を表す画像データを取得する取得手段と、前記取得手段によって取得された画像データが表す画像において、前記赤色記憶手段により記憶されている範囲に含まれる赤色の文字の領域の位置を特定する領域特定手段と、前記取得手段によって取得された画像データが表す画像が、表裏に記録面を有する記録媒体の一方の記録面に形成される場合に、当該記録媒体の他方の記録面において、前記領域特定手段によって特定された位置の裏側に相当する位置を特定する相当位置特定手段と、前記相当位置特定手段によって特定された位置に決められた画像が配置された画像を表す画像データを生成する生成手段と、前記取得手段によって取得された画像データと、前記生成手段によって生成された画像データとを対応付けて出力する出力手段とを備えることを特徴とする画像処理装置である。
請求項２に係る発明は、色空間における赤色の範囲を記憶する赤色記憶手段と、文字を含む画像を表す画像データを取得する取得手段と、前記取得手段によって取得された画像データが表す画像において、前記赤色記憶手段により記憶されている範囲に含まれる赤色の文字の領域の位置を特定する領域特定手段と、前記領域特定手段によって特定された位置に決められた画像が配置された画像を表す画像データを生成する生成手段と前記取得手段によって取得された画像データと、前記生成手段によって生成された画像データとを対応付けて出力する出力手段とを備えることを特徴とする画像処理装置である。
請求項３に係る発明は、請求項１に記載の画像処理装置と、前記画像処理装置の前記出力手段により対応付けられて出力された画像データのうち、前記画像処理装置の前記取得手段によって取得された画像データに応じた画像を記録媒体の一方の面に形成し、前記生成手段によって生成された画像データに応じた画像を記録媒体の他方の面に形成する画像形成手段とを備えることを特徴とする画像形成装置である。
請求項４に係る発明は、請求項２に記載の画像処理装置と、前記画像処理装置の前記出力手段により対応付けられて出力された画像データのうち、前記画像処理装置の前記取得手段によって取得された画像データに応じた画像を第１の記録媒体に形成し、前記生成手段によって生成された画像データに応じた画像を第２の記録媒体に形成する画像形成手段とを備えることを特徴とする画像形成装置である。
請求項５に係る発明は、コンピュータを、色空間における赤色の範囲を記憶する赤色記憶手段と、文字を含む画像を表す画像データを取得する取得手段と、前記取得手段によって取得された画像データが表す画像において、前記赤色記憶手段により記憶されている範囲に含まれる赤色の文字の領域の位置を特定する領域特定手段と、前記取得手段によって取得された画像データが表す画像が表裏に記録面を有する記録媒体の一方の記録面に形成された場合に、当該記録媒体の他方の記録面において、前記特定手段によって特定された位置の裏側に対応する位置を特定する相当位置特定手段と、前記相当位置特定手段によって特定された位置に決められた画像が配置された画像を表す画像データを生成する生成手段と、前記取得手段によって取得された画像データと、前記生成手段によって生成された画像データとを対応付けて出力する出力手段として実現させるためのプログラムである。
請求項６に係る発明は、コンピュータを、色空間における赤色の範囲を記憶する赤色記憶手段と、文字を含む画像を表す画像データを取得する取得手段と、前記取得手段によって取得された画像データが表す画像において、前記赤色記憶手段により記憶されている範囲に含まれる赤色の文字の領域の位置を特定する領域特定手段と、前記特定手段によって特定された位置に決められた画像が配置された画像を表す画像データを生成する生成手段と前記取得手段によって取得された画像データと、前記生成手段によって生成された画像データとを対応付けて出力する出力手段として実現させるためのプログラムである。
【発明の効果】
【０００６】
請求項１に係る発明によれば、赤色とその他の色とを判別しにくい２色覚あるいは異常３色覚の人が、赤色とその他の色とによって区分けされていた内容を見分けやすくなる。
請求項２に係る発明によれば、赤色とその他の色とを判別しにくい２色覚あるいは異常３色覚の人が、赤色とその他の色とによって区分けされていた内容を見分けやすくなる。
請求項３に係る発明によれば、赤色とその他の色とで区分けされていた内容を赤色とその他の色とを判別しにくい２色覚あるいは異常３色覚の人が見分けやすくなるように、画像を１枚の記録媒体に形成することができる。
請求項４に係る発明によれば、赤色とその他の色とで区分けされていた内容を赤色とその他の色とを判別しにくい２色覚あるいは異常３色覚の人が見分けやすくなるように、画像を２枚の記録媒体に分けて形成することができる。
請求項５に係る発明によれば、赤色とその他の色とを判別しにくい２色覚あるいは異常３色覚の人が、赤色とその他の色とによって区分けされていた内容を見分けやすくなる。
請求項６に係る発明によれば、赤色とその他の色とを判別しにくい２色覚あるいは異常３色覚の人が、赤色とその他の色とによって区分けされていた内容を見分けやすくなる。
【図面の簡単な説明】
【０００７】
【図１】本発明の実施形態に係るシステムの全体構成を示す図である。
【図２】同実施形態に係る画像形成装置１の構成を示したブロック図である。
【図３】同実施形態に係る情報処理装置３の構成を示したブロック図である。
【図４】同実施形態に係る情報処理装置３がプリンタドライバを実行するときの動作を説明するフローチャートである。
【図５】同実施形態において、強調対応処理の実施有無を確認するポップアップ画面５を示す図である。
【図６】同実施形態において、強調対応処理の詳細を設定するポップアップ画面６を示す図である。
【図７】同実施形態に係る裏面に透かし画像を形成する強調対応処理を説明する図である。
【図８】同実施形態に係る記録用紙に形成された画像の例を示した図である。
【図９】同実施形態に係る強調対応処理の効果を説明する図である。
【図１０】同実施形態に係る次頁に透かし画像を形成する強調対応処理を説明する図である。
【図１１】同実施形態に係る記録用紙に形成された画像の例を示した図である。
【図１２】同実施形態に縮小画像の一覧を形成する強調対応処理を説明する図である。
【発明を実施するための形態】
【０００８】
一般色覚者の目の網膜には、光の波長によって感じ方（分光感度）が異なるＬ錐体、Ｍ錐体、Ｓ錐体の３種類の錐体がある。一方、２色覚あるいは異常３色覚の人は、錐体の種類や分光感度が一般色覚者と異なり、赤色、黄色、青色というようなそれぞれの色相を区別する情報に乏しいため、彩度差と明度差のみからしか色の判別を行うことができない。２色覚あるいは異常３色覚には多様な特性があるが、例えば赤色の色相を認識できないために、赤色と黒色などの無彩色との判別が難しい場合がある。赤色は、文書などの情報を提示する書類において、重要な内容、強調したい内容、閲覧者に注意を喚起したい内容などを修飾するのに用いられる。そのために利用者が、この赤色をその他の色と判別できないと、文書などを閲覧するうえで支障が生じる場合が多い。以下では、赤色によって修飾された文書を例に挙げて、本発明の実施形態について説明する。なお、以下の説明における赤色とは、赤（Red）、緑（Green）、青（Blue）の３つの原色を混ぜて幅広い色を再現する加法混色の一種であるＲＧＢ色空間において、それぞれの原色を８ビット(２５６階調)で表現すると、（Ｒ，Ｇ，Ｂ）＝（２２０〜２５５，０〜５５，０〜５５）の範囲で表現される色を想定する。なお、本実施形態において「〜」がＡとＢの範囲を表す為に「Ａ〜Ｂ」として用いられた場合には、Ａ以上Ｂ以下の範囲を表すものと定義する。
【０００９】
（１）構成
図１は、本実施形態に係るシステムの全体構成を示す図である。
画像形成装置１と情報処理装置３とは、ＷＡＮ（Wide Area Network）やＬＡＮ（Local Area Network）などの情報を伝達するための通信網であるネットワーク２で接続されている。画像形成装置１は、例えば複写、プリント及びスキャンなどの機能が一つにまとめられた複合機であり、記録媒体の一例である記録用紙に画像を形成したり、記録用紙から画像を読み取ったりする。情報処理装置３は、例えばパーソナルコンピュータであり、各種の画像処理を行ったり、画像データをネットワーク２経由で画像形成装置１に供給し、その画像データに応じた画像を形成するよう画像形成装置１に指示したりする。なお、図１において１台の画像形成装置１と３台の情報処理装置３を図示しているが、ネットワーク２に接続される画像形成装置１や情報処理装置３の数はこれに限らない。
【００１０】
図２は、画像形成装置１の構成を示したブロック図である。
画像形成装置１は、制御部１１、記憶部１２、操作部１３、表示部１４、通信部１５、画像読取部１６、及び画像形成部１７を備えている。制御部１１は、ＣＰＵ（Central Processing Unit）と、ＲＯＭ（Read Only Memory）と、ＲＡＭ（Random Access Memory）とを備えており、ＣＰＵがＲＯＭや記憶部１２に記憶されているプログラムを実行することによって画像形成装置１の各部を制御する。記憶部１２は、ＨＤ（Hard Disk）などの不揮発性の補助記憶装置であり、各種のプログラムやデータが記憶されている。操作部１３は、複数のキーを備えており、利用者の操作を受け付けてその操作に応じた信号を制御部１１に供給する。表示部１４は、ＶＲＡＭ（Video RAM）、液晶ディスプレイ及び液晶駆動回路を備えており、制御部１１から供給される情報に基づいて処理の進行状況や利用者に操作を案内する情報などを表示する。通信部１５は、通信回路や通信インタフェースを備えており、ネットワーク２を介して情報処理装置３と通信を行う。画像読取部１６は、ＣＣＤ（Charge Coupled Device）により構成される光学系部材を備えており、記録用紙に形成されている画像を光学系部材によって読み取り、読み取った画像を表す画像データを生成する。画像形成部１７は、像保持体である感光体ドラム、静電潜像を形成する露光部、静電潜像を現像してトナー像を形成する現像部、そのトナー像を記録用紙へ転写する転写部、及び記録用紙に転写されたトナー像をその記録用紙に定着させる定着部を備えている。更に、この画像形成部１７は、用紙搬送部１８を備えている。この用紙搬送部１８は、画像形成部１７内の各部に記録用紙を搬送する搬送機構と、表裏に記録面を持つ記録用紙の表裏を反転させるための反転機構とを備えている。つまり、画像形成部１７は、画像を記録用紙に形成する画像形成手段の一例である。なお、以下では、記録用紙の一方の記録面を「表面」と言ったときに、他方の記録面を「裏面」と言う。
【００１１】
図３は、情報処理装置３の構成を示したブロック図である。
情報処理装置３は、制御部３１、記憶部３２、操作部３３、表示部３４及び通信部３５を備えている。制御部３１は、ＣＰＵ（Central Processing Unit）と、ＲＯＭ（Read Only Memory）と、ＲＡＭ（Random Access Memory）とを備えており、ＣＰＵがＲＯＭや記憶部３２に記憶されているプログラムを実行することによって情報処理装置３の各部を制御する。操作部３３は、キーボードやマウスなどの操作デバイスを備えており、利用者の操作を受け付けて、その操作に応じた信号を制御部３１に供給する。表示部３４は、ＣＲＴディスプレイや液晶ディスプレイなどの表示デバイスを備えた表示手段の一例である。この表示部３４は、表示制御手段の一例である制御部３１から供給される画像データに基づいて各種の情報を表示する。通信部３５は、通信回路や通信インタフェースを備えており、ネットワーク２を介して画像形成装置１と通信を行う。
【００１２】
記憶部３２は、ＨＤ（Hard Disk）などの不揮発性の補助記憶装置であり、各種のプログラムやデータが記憶されている。記憶部３２に記憶されているプログラムには、文字や図形あるいは表などを複数色で表現した文書を表す文書画像データを作成したり、保存したり、編集したりする手順が記述された文書作成アプリケーションプログラム３２１と、その文書画像データを画像形成装置１が解釈可能なページ記述言語で表現された画像データに変換するための処理手順が記述されたプリンタドライバ３２２とがある。このプリンタドライバ３２２には、前述したＲＧＢ色空間における赤色の範囲（Ｒ，Ｇ，Ｂ）＝（２２０〜２５５，０〜５５，０〜５５）が記述されている。つまり、プリンタドライバ３２２が記憶されている記憶部３２は、赤色の範囲を記憶する赤色記憶手段の一例である。また、このプリンタドライバ３２２には、利用者が文書作成アプリケーションプログラム３２１を実行することによって作成した文書画像データにおいて強調などの目的により赤色で修飾された箇所を、２色覚あるいは異常３色覚の人に対してその箇所が強調などされていることを認識させるための処理（以下、強調対応処理という）の手順が記述されている。この強調対応処理には、文書画像データによって表される文書が表面に形成された記録用紙の裏面や、それとは別の記録用紙に対し、その文書画像中の赤色で描かれた文字を含む領域を特定の色で塗り潰した画像を形成する処理が含まれている。これにより、強調などの目的で使われる赤色と、その他の色（典型的には、文書において一般に最も多く使われる色である黒色）の判別が容易になる。以下では、この塗り潰された画像のことを、「透かし画像」という。この透かし画像の色と模様は、プリンタドライバ３２２の設計者あるいは利用者によって任意に決められるが、例えば黒色の濃度１００％のベタ画像が用いられる。
【００１３】
（２）動作
利用者は、情報処理装置３に文書作成アプリケーションプログラム３２１を実行させ、表示部３４を参照しながら操作部３３を操作して文書を作成する。このとき、利用者は、操作部３３を操作して文書中で強調などをしたい箇所の文字を赤色とするよう、情報処理装置３に指示することができる。制御部３１は、文書作成アプリケーションプログラム３２１に記述された手順に従い、利用者の操作に応じて文書を表す文書画像データをＲＡＭ等のメモリ上に作成する。このように制御部３１は文書画像データを作成乃至記憶することで、その文書画像データを取得する取得手段の一例である。そして、利用者が、操作部３３を操作して、作成した文書画像データをプリントアウトするよう指示すると、制御部３１は、プリンタドライバ３２２を実行して、図４に示す処理を開始する。
【００１４】
図４において、制御部３１は、文書画像データを解析して、強調対応処理の対象となる赤色が含まれているか否かを判断する（ステップＳ４１）。文書画像データには、文字や図形あるいは表を画像として表現するために、様々な色を表す色情報が含まれている。制御部３１は、これらの色情報と、プリンタドライバ３２２に記述されている赤色の範囲とを照合することで、文書画像データにおいて強調対応処理の対象となる箇所を特定すればよい。制御部３１は、赤色が含まれていると判断した場合には（ステップＳ４１；ＹＥＳ）、強調対応処理を実施するか否かを利用者に確認させるポップアップ画面５を表示部３４に表示する（ステップＳ４２）。
【００１５】
図５は、ポップアップ画面５を示す図である。
ポップアップ画面５には、強調対応処理を実施するか否かを択一的に選択する選択肢であるラジオボタンＲ５１、Ｒ５２が設けられており、利用者はラジオボタンＲ５１又はラジオボタンＲ５２のいずれか一方を選択することが可能である（ステップＳ４３）。ここで、利用者の操作部３３の操作によって、図５に示すように「はい」と表記されているラジオボタンＲ５１が選択され、更にこの画面の右端角部において「ＯＫ」と表記されているソフトボタンＢ５３が選択されると（ステップＳ４３；ＹＥＳ）、制御部３１は、強調対応処理の詳細を利用者に設定させるポップアップ画面６を表示させる（ステップＳ４４）。
【００１６】
図６は、ポップアップ画面６を示す図である。
ポップアップ画面６には、「ａ：裏面に透かし画像を形成」、「ｂ：次頁に透かし画像を形成」及び「ｃ：縮小画像の一覧を形成」という、強調対応処理の３つの処理モードに対応するラジオボタン群Ｒ６１が表示されている。利用者は、ラジオボタン群Ｒ６１の中から何れか１つを選択することにより、文書画像データに対して実施される強調対応処理を決定することが可能である。次に、制御部３１が、文書画像データに対して実施する、３つの処理モードに対応した強調対応処理について説明する。
【００１７】
＜ａ：裏面に透かし画像を形成＞
利用者が、ポップアップ画面６において、例えば強調対応処理として「ａ：裏面に透かし画像を形成」を選択するラジオボタンＲ６１ａを選択し、更に「ＯＫ」と表記されたソフトボタンＢ６２（以下「ＯＫ」ボタンという）を選択したとする。この場合、制御部３１は、選択された内容の強調対応処理を行うことで、文書において赤色とその他の色の判別を容易にする透かし画像を含んだ文書画像データを生成する（ステップＳ４５）。
【００１８】
図７は、裏面に透かし画像を形成する強調対応処理を説明する図である。
文書画像データＢ７１は、強調対応処理前の文書画像データである。この図においては、黒色で描かれた文字を模式的に実線で、赤色で描かれた文字を模式的に破線で表現している。この文書画像データＢ７１において、Ｙ方向はいわゆる副走査方向であり、Ｘ方向はいわゆる主走査方向である。文書画像データＢ７１に含まれる各画素の位置情報は、ＸＹ座標系で表される。
【００１９】
制御部３１は、図７の文書画像データＢ７１において、文書画像データＢ７１に含まれる色情報と、プリンタドライバ３２２に記述されている赤色の範囲とを照合することで、赤色で描かれた文字から成る文字列を含む矩形領域Ｋ７１ａ〜矩形領域Ｋ７１ｄを検出し、その位置を特定する。つまり、制御部３１は、領域特定手段の一例である。赤色の文字列を含む矩形領域とは、この文字列の外接矩形の領域であってもよいし、その外接矩形をＸ方向及びＹ方向にそれぞれ予め設定された長さだけ拡大した領域であってもよい。例えば、矩形領域Ｋ７１ａの位置は、矩形領域Ｋ７１ａの始点座標（Ｘａｓ，Ｙａｓ）、及び終点座標（Ｘａｅ，Ｙａｅ）で示される。そして、制御部３１は、矩形領域Ｋ７１ａの位置情報を基にして、文書画像データＢ７１の矩形領域Ｋ７１ａが記録用紙の表面にあるとしたときに、その記録用紙の裏面において矩形領域Ｋ７１ａのちょうど裏側に相当する位置にある矩形領域Ｋ７１ａ’の位置を特定する。つまり、制御部３１は、相当位置特定手段の一例である。例えば、文書が形成される矩形領域の主走査方向の長さを「Ｘｌｗ」とし、副走査方向の長さを「Ｙｃｗ」とした場合、矩形領域Ｋ７１ａの始点座標（Ｘａｓ，Ｙａｓ）及び終点座標（Ｘａｅ，Ｙａｅ）と、矩形領域Ｋ７１ａ’の始点座標（Ｘａｓ’，Ｙａｓ’）、及び終点座標（Ｘａｅ’，Ｙａｅ’）との関係は、以下のようになる。
（Ｘａｓ’，Ｙａｓ’）＝（Ｘｌｗ−Ｘａｅ，Ｙａｓ）
（Ｘａｅ’，Ｙａｅ’）＝（Ｘｌｗ−Ｘａｓ，Ｙａｅ）
制御部３１は、矩形領域Ｋ７１ｂ’〜矩形領域Ｋ７１ｄ’の位置も上記と同様の方法によって求めることができる。そして、制御部３１は、矩形領域Ｋ７１ａ’〜矩形領域Ｋ７１ｄ’の位置情報が表す位置に透かし画像を配置した文書画像データＢ７２を生成する。つまり、制御部３１は、生成手段の一例である。
【００２０】
ここで、説明を図４に戻す。制御部３１は、記録用紙の表面に対応する文書画像データＢ７１と記録用紙の裏面に対応する文書画像データＢ７２とを、画像形成装置１が処理可能なページ記述言語で表現された画像データに変換するための画像処理を行う（ステップＳ４６）。次に、制御部３１は、ステップＳ４６で生成された画像データと、その画像データに応じた画像を形成する指示とを出力し、通信部３５から画像形成装置１に対して送信する（ステップＳ４７）。ステップＳ４６で生成され、ステップＳ４７において出力された画像データ中には、記録用紙の表面に形成する画像を表す画像データと、記録用紙の裏面に形成する画像を表す画像データとが対応付けられている。よって、制御部３１及び通信部３５は、これらの対応づけられた画像データを出力する出力手段の一例である。そして、画像形成装置１の通信部１５が情報処理装置３から上記画像データ及び指示を受信すると、制御部１１は、その画像データをビットマップ化し、画像形成部１７を制御して文書画像データＢ７１に応じた画像を記録用紙Ｙ７１の表面に、文書画像データＢ９２に応じた画像を記録用紙Ｙ７１の裏面に、それぞれ形成する。この際、制御部１１は、用紙搬送部１８の反転機構を制御して記録用紙Ｙ７１の画像が形成される面を反転させることで、記録用紙Ｙ７１の両面に対して画像を形成させる。
ここで、図８は、記録用紙の表面Ｍ７１ａに形成された文書画像と、裏面Ｍ７１ｂに形成された透かし画像の例を示した図である。利用者にとっては、記録用紙の表面Ｍ７１ａから文書を見たときに、赤色で描かれた文字の周りに、裏面Ｍ７１ｂに形成された透かし画像が透かして見える状態になる。なお、図８において、表面Ｍ７１ａと裏面Ｍ７１ｂに記した、辺Ｙ７１ｌ、辺Ｙ７１ｒ、辺Ｙ７１ｕ、辺Ｙ７１ｄのうち、辺７１ｒと辺７１ｌが左右で逆になっている。これは、表面Ｍ７１ａと裏面Ｍ７１ｂとが表裏の関係にあることを意味している。
【００２１】
ここで、図９は、強調対応処理の効果を説明する図である。
記録用紙Ｙ８の文書画像が形成された面には、「あいうえお」が赤色で、「かきくけこ」が赤色以外の例えば黒色で描かれている。また、透かし画像Ｋ８が形成された位置は、文書画像が形成された面に赤色で描かれた「あいうえお」という文字列を含む矩形領域の裏側に該当する。「あいうえお」という文字列の周りには、裏面に形成された透かし画像が透けて見える状態になるから、このとき、「あいうえお」という文字列の周りの領域と、それ以外の文字列の背景領域との間には明度差が生じることになる。よって、利用者が２色覚あるいは異常３色覚の人であった場合には、「あいうえお」という文字列の周りの領域と、それ以外の文字列である「かきくけこ」の周りの領域とを見分けることができる。このようにして、２色覚あるいは異常３色覚の人は、赤色とその他の色とで描かれた文字を判別しやすくなる。つまり、赤色の色相を判別しにくい錐体細胞を持った人であっても、赤色の文字列の位置に形成された透かし画像Ｋ８の領域とそれ以外の領域との明度差によって両者を区別できるので、赤色とその他の色とで描かれた文字を判別しやすくなる。
【００２２】
＜ｂ：次頁に透かし画像を形成＞
説明を図４に戻す。利用者が、ポップアップ画面６において、例えば強調対応処理として「ｂ：次頁に透かし画像を形成」を選択するラジオボタンＲ６１ｂを選択し、更に「ＯＫ」ボタンを選択したとする。この場合、制御部３１は、選択された内容の強調対応処理を行うことで、文書において赤色とその他の色の判別を容易にする透かし画像を含んだ文書画像データを生成する（ステップＳ４５）。
【００２３】
図１０は、次頁に透かし画像を形成する強調対応処理を説明する図である。
文書画像データＢ９１は、強調対応処理前の文書画像データである。この図においては、黒色で描かれた文字を模式的に実線で、赤色で描かれた文字を模式的に破線で表現している。この文書画像データＢ９１において、Ｙ方向はいわゆる副走査方向であり、Ｘ方向はいわゆる主走査方向である。文書画像データＢ９１に含まれる各画素の位置情報は、ＸＹ座標系で表される。
【００２４】
制御部３１は、図１０の文書画像データＢ９１において、文書画像データＢ７１に含まれる色情報と、プリンタドライバ３２２に記述されている赤色の範囲とを照合することで、赤色で描かれた文字から成る文字列を含む矩形領域Ｋ９１ａ〜矩形領域Ｋ９１ｄの位置を特定する。つまり、制御部３１は、領域特定手段の一例である。赤色の文字列を含む矩形領域とは、この文字列の外接矩形の領域であってもよいし、その外接矩形をＸ方向及びＹ方向にそれぞれ予め設定された長さだけ拡大した領域であってもよい。例えば、矩形領域Ｋ９１ａの位置は、矩形領域Ｋ９１ａの始点座標（Ｘａｓ，Ｙａｓ）、及び終点座標（Ｘａｅ，Ｙａｅ）で示される。そして、制御部３１は、矩形領域Ｋ９１ａの位置情報を基にして、文書画像データＢ９１の矩形領域Ｋ９１ａと同じＸＹ座標系で表される位置にある矩形領域Ｋ９１ａ’の位置を特定する。例えば、文書が形成される矩形領域の主走査方向の長さを「Ｘｌｗ」とし、副走査方向の長さを「Ｙｃｗ」とした場合、矩形領域Ｋ９１ａの始点座標（Ｘａｓ，Ｙａｓ）及び終点座標（Ｘａｅ，Ｙａｅ）と、矩形領域Ｋ９１ａ’の始点座標（Ｘａｓ’，Ｙａｓ’）、及び終点座標（Ｘａｅ’，Ｙａｅ’）との関係は、以下のようになる。
（Ｘａｓ’，Ｙａｓ’）＝（Ｘａｓ，Ｙａｓ）
（Ｘａｅ’，Ｙａｅ’）＝（Ｘａｅ，Ｙａｅ）
制御部３１は、矩形領域Ｋ９１ｂ’〜矩形領域Ｋ９１ｄ’の位置も上記と同様にして求めることができるから、その位置情報を基にして、透かし画像を配置した文書画像データＢ９２を生成する。つまり、制御部３１は、生成手段の一例である。
【００２５】
ここで、説明を図４に戻す。制御部３１は、文書画像データＢ９１と文書画像データＢ９２とを、画像形成装置１が処理可能なページ記述言語で表現された画像データに変換するための画像処理を行う（ステップＳ４６）。次に、制御部３１は、ステップＳ４６で生成された画像データと、その画像データに応じた画像を形成する指示とを出力し、通信部３５から画像形成装置１に対して送信する（ステップＳ４７）。ステップＳ４６で生成され、ステップＳ４７において出力された画像データ中には、記録用紙の表面に形成する画像を表す画像データと、記録用紙の裏面に形成する画像を表す画像データとが対応付けられている。よって、制御部３１及び通信部３５は、これらの対応づけられた画像データを出力する出力手段の一例である。そして、画像形成装置１の通信部１５が情報処理装置３から上記画像データ及び指示を受信すると、制御部１１は、その画像データをビットマップ化し、画像形成部１７を制御して文書画像データＢ９１に応じた画像と、文書画像データＢ９２に応じた画像とを、それぞれ異なる記録用紙、つまり第１の記録用紙と第２の記録用紙に形成する。
【００２６】
図１１は、記録用紙に形成された画像の例を示した図である。
図１１の記録用紙Ｙ９１は、文書画像データＢ９１に応じた画像が形成されており、記録用紙Ｙ９２は、文書画像データＢ９２に応じた画像が形成されている。利用者は、記録用紙Ｙ９１，Ｙ９２の画像が形成された面を自身の方向に向け、且つ、自身に対して手前に記録用紙Ｙ９１を、その奥に記録用紙Ｙ９２を重ね合わせる。このとき、記録用紙Ｙ９１に形成された赤色で描かれた文字の周りに、記録用紙Ｙ９２に形成された透かし画像が透かして見える状態になる。つまり、図９を用いて先述した強調対応処理の効果と同様に、赤色の色相を判別しにくい錐体細胞を持った人であっても、赤色の文字列の位置に形成された透かし画像の領域とそれ以外の領域との明度差によって両者を区別できるので、赤色とその他の色とで描かれた文字を判別しやすくなる。
【００２７】
＜ｃ：縮小画像の一覧を形成＞
説明を図４に戻す。利用者が、ポップアップ画面６において、例えば強調対応処理として「ｃ：縮小画像の一覧を形成」を選択するラジオボタンＲ６１ｃを選択し、更に「ＯＫ」ボタンを選択したとする。この場合、制御部３１は、選択された内容の強調対応処理を行うことで、文書において赤色とその他の色の判別を容易にする透かし画像を含んだ文書画像データを生成する（ステップＳ４５）。
制御部３１は、先述したように、文書画像データにおいて赤色で描かれた文字から成る文字列を含む矩形領域の位置情報を取得する。そして、制御部３１は、縮小した文書画像において、上記の矩形領域に該当する位置が赤色で描かれていることを、例えば網掛けや下線（アンダーライン）の画像によって示すような画像を表す文書画像データを生成する。以降、この文書画像データを、縮小画像データと称する。なお、網掛けとは、赤色で描かれた文字からなる文字列を含む矩形領域内に予め設定された間隔を空けて複数の網点画像を配置するというものであり、下線とは、赤色で描かれた文字からなる文字列を含む矩形領域の下辺の更にその下方に線分画像を配置するというものである。
【００２８】
次に、制御部３１は、ステップＳ４５で生成した縮小画像データを、画像形成装置１が処理可能なページ記述言語で表現された画像データに変換するための画像処理を行う（ステップＳ４６）。次に、制御部３１は、ステップＳ４６で生成された画像データと、その画像データに応じた画像を形成する指示とを、通信部３５から画像形成装置１に対して送信する（ステップＳ４７）。そして、画像形成装置１の通信部１５が情報処理装置３から上記画像データ及び指示を受信すると、制御部１１は、その画像データをビットマップ化し、画像形成部１７を制御して画像データに応じた画像を記録用紙に形成する。
【００２９】
図１２は、縮小画像データに応じて形成された縮小画像を表現している。
図１２の記録用紙Ｙ１０３には、４ページ分の文書画像が形成されており、更にそのうちの赤色の文字列には、網掛けの画像が重ねられている。２色覚あるいは異常３色覚の人は、この記録用紙Ｙ１０３に形成された縮小画像の内容を参考にしながら、赤色とその他の色とで描かれたオリジナルの文書画像が形成された記録用紙を参照することで、赤色とその他の色とで描かれた文字を判別することが可能となる。
【００３０】
なお、ステップＳ４１において、制御部３１は、赤色で描かれた文字が含まれていないと判断した場合には（ステップＳ４１；ＮＯ）、上述したステップＳ４２〜Ｓ４５の処理をスキップして、ステップＳ４６の画像処理に進む。また、ステップＳ４３において、利用者の操作部３３の操作によって、「いいえ」のラジオボタンＲ５２が選択され、更にこの画面において「ＯＫ」と表記されているソフトボタンＢ５３が選択されると（ステップＳ４３；ＮＯ）、制御部３１は、上述したステップＳ４４〜Ｓ４５の処理をスキップして、ステップＳ４６の画像処理に進む。
【００３１】
（３）変形例
（変形例１）
上記実施形態において、情報処理装置３の制御部３１がプリンタドライバ３２２を実行することによって強調対応処理を行っていたが、強調対応処理を行う主体や、強調対応処理の手順が記述されたプログラムは、これらに限定されるものではない。強調対応処理の手順は、プリンタドライバ３２２とは別のプログラム、例えば、情報処理装置３が記憶している文書作成アプリケーションプログラムに記述されていてもよいし、また、画像形成装置１が記憶しているコンピュータプログラムに記述されていてもよい。後者の場合、画像形成装置１が強調対応処理を実行するので、例えば、画像読取部１６が読み取った画像を表す画像データに対しても強調対応処理を行うことが可能となる。よって、複写を行うときにも、２色覚あるいは異常３色覚の人が赤色とその他の色とを判別しやすい複写物を作成することができる。
また、情報処理装置３の制御部３１が、ソフトウェアであるプログラムを実行することによって強調対応処理を行うのではなく、ＡＳＩＣ（Application Specific Integrated Circuit）などのアナログ回路がプログラムに拠らずに強調対応処理を行ってもよい。
【００３２】
（変形例２）
赤色の範囲は、ＲＧＢ色空間以外の任意の色空間で定義することが可能であり、要は、どのような色空間であっても、２色覚あるいは異常３色覚の人がその他の色と判別にしにくい赤色の範囲でありさえすればよい。例えば色相（Hue）、彩度（Saturation）、輝度（Lightness）の３つの要素で色を表現するＨＬＳ色空間において定義されていてもよい。ＨＬＳ色空間の場合、赤色の範囲を例えばＨ＝２５０〜２５５及び０〜８、Ｌ＝２２０〜２５５、Ｓ＝１１８〜１５３としてもよい。なお、ここでは、Ｈ＝０°〜３６０°を８ビットで表現して、Ｈ＝０〜２５５としている（Ｈ＝０°のとき、Ｈ＝０，Ｈ＝３６０°のときＨ＝２５５）。同様に、Ｓ＝０（０％）〜１（１００％）を８ビットで表現して、Ｓ＝０〜２５５としている（Ｓ＝０％のとき、Ｓ＝０，Ｓ＝１００％のときＳ＝２５５）。また、Ｌ＝０（０％）〜１（１００％）を８ビットで表現して、Ｌ＝０〜２５５としている（Ｌ＝０％のとき、Ｌ＝０，Ｌ＝１００％のとき、Ｌ＝２５５）。
【００３３】
（変形例３）
実施形態で説明した（ｂ：次頁に透かし画像を形成）においては、文書画像が形成された記録用紙と、透かし画像が形成された記録用紙とを重ねた状態にしてから、文書画像を見なければならないので、文書が複数ページにわたる場合には、画像形成装置１は、文書画像が形成された記録用紙と、透かし画像が形成された記録用紙とを交互に出力することが望ましい。しかし、必ずしも交互に出力する必要はなく、例えば記録用紙を排出する用紙排出先が複数ある場合には、文書画像が形成された複数の記録用紙と透かし画像が形成された複数の記録用紙の用紙排出先をそれぞれ異ならせてもよい。また、記録用紙を排出する用紙排出先が単数の場合であっても、画像形成装置１は、例えば、文書画像が形成された複数の記録用紙と透かし画像が形成された複数の記録用紙とのうち、いずれか一方を先に出力し、他方をその後に出力してもよい。なお、画像形成装置１は、文書画像が形成された記録用紙と、透かし画像が形成された記録用紙との対応関係が分かりやすいように、透かし画像が形成された記録用紙に対し、文書画像が形成された記録用紙と対応するページ番号を表す画像を形成すると望ましい。例えば、１０ページ分の文書のうち、５ページ目に赤色の文字列がある場合、画像形成装置１は、文書画像が形成される記録用紙に対してページ番号の画像も併せて形成するとともに、透かし画像が形成される記録用紙にも５ページ目であることを示す画像を併せて形成する。なお、画像形成装置１がどの記録用紙にどのような画像をどのような順番で形成し、どのような排出を行うかは、全てプリンタドライバ３３２からの指示に従う。
【００３４】
（変形例４）
透かし画像の色や模様は、実施形態の例に限定されない。例えば色に関しては、記録用紙を透けて見える色であればよく。例えば灰色などであってもよい。また、模様に関しては、記録用紙を透けて見える模様であればよく、例えば、予め設定された間隔で配置された複数の網点画像からなる網掛け模様や、同一方向に延びる線分画像を予め設定された間隔で複数配置したような模様や、或いは、市松模様などであってもよい。
また、透かし画像は、赤色の文字を含む領域の全領域に形成されなくてもよい。例えば、赤色の文字を含む領域の輪郭部分から、その領域の内側に向かって予め設定された距離の範囲内だけに透かし画像が形成されていてもよい。つまり、透かし画像は、赤色の文字を含む領域がどこからどこまでかということさえ認識できれば、赤色の文字を含む領域の一部の領域にのみ形成されるものであってもよい。
【符号の説明】
【００３５】
１…画像形成装置、２…ネットワーク、３…情報処理装置、１１…制御部、１２…記憶部、１３…操作部、１４…表示部、１５…通信部、１６…画像読取部、１７…画像形成部、１８…用紙搬送部、３１…制御部、３２…記憶部、３２１…文書作成アプリケーションプログラム、３２２…プリンタドライバ、３３…操作部、３４…表示部、３５…通信部。
【図１】
2010219814.tif 000003
【図２】
2010219814.tif 000004
【図３】
2010219814.tif 000005
【図４】
2010219814.tif 000006
【図５】
2010219814.tif 000007
【図６】
2010219814.tif 000008
【図７】
2010219814.tif 000009
【図８】
2010219814.tif 000010
【図９】
2010219814.tif 000011
【図１０】
2010219814.tif 000012
【図１１】
2010219814.tif 000013
【図１２】
2010219814.tif 000014